(57)【要約】【課題】ダイバーシチ構成の受信回路を有し、ダイバーシチ受信を効率的に運用し、消費電力を低減して使い勝手を高める。【解決手段】送受信アンテナ１ａと受信手段４ａとからなる受信系と、受信専用アンテナ１ｂと受信手段４ｂとからなる受信系とでダイバーシチ構成をなしており、全体制御１１がダイバーシチ制御手段９を制御することにより、受信手段４ｂを動作状態にしたり、非動作状態にしたりすることにより、ダイバーシチ受信動作とダイバーシチ受信動作とが選択できるようにしている。エネルギー検出手段８では、現状での受信エネルギーＣ／Ｉ値が検出され、全体制御手段１１はこの検出されたＣ／Ｉ値から受信可能なデータレートが求め、このデータレートで基地局がデータ送信を行なうように要求するとともに、このデータレートに応じてダイバーシチ制御手段９、従って、受信手段４ｂの動作／非動作を制御する。【選択図】図１
2005341366.tif 000002
【特許請求の範囲】
【請求項１】
基地局との間で符号分割多元接続方式で通信を行なう携帯電話端末装置において、
送受信アンテナで該基地局からの送信データを受信する第１の受信手段と、
受信専用アンテナで該基地局からの送信データを受信する第２の受信手段と、
該第１，第２の受信手段の受信信号を合成する信号合成手段と、
該第１，第２の受信手段の受信信号を用いて自己の通信に関係する受信エネルギーＣ／Ｉ値を検出する受信エネルギー検出手段と、
該第２の受信手段の動作／非動作状態の切り替え制御し、該第１，第２の受信手段が動作するダイバーシチ受信動作と第１の受信手段のみが動作する非ダイバーシチ受信動作との切り替えを行なうダイバーシチ制御手段と、
該受信エネルギー検出手段で検出された該受信エネルギーＣ／Ｉ値に応じて該ダイバーシチ制御手段を制御し、該第２の受信手段を動作状態から非動作状態に、もしくは非動作状態から動作状態に切り換える制御部と
を備えたことを特徴とする携帯電話端末装置。
【請求項２】
請求項１記載の携帯電話端末装置において、
前記受信エネルギー検出手段は、前記第１の受信手段の受信信号を用いて第１の受信エネルギーＣ／Ｉ値を、前記第２の受信手段の受信信号を用いて第２の受信エネルギーＣ／Ｉ値を夫々検出するとともに、該第１，第２の受信エネルギーＣ／Ｉ値を合成した合成受信エネルギーＣ／Ｉ値を生成し、
前記制御手段は、前記非ダイバーシチ受信動作時、該第１の受信エネルギーＣ／Ｉ値に応じて前記ダイバーシチ制御手段を制御することにより、前記ダイバーシチ受信動作状態に切り替え、前記ダイバーシチ受信動作時、該第１の受信エネルギーＣ／Ｉ値と該合成受信エネルギーＣ／Ｉ値とに応じて、前記ダイバーシチ制御手段を制御することにより、前記非ダイバーシチ受信動作状態に切り替える
ことを特徴とする携帯電話端末装置。
【請求項３】
請求項２記載の携帯電話端末装置において、
受信エネルギーＣ／Ｉ値を対応する受信可能なデータレートに変換するための変換テーブルを有するメモリを備え、
前記制御手段は、該変換テーブルをもとに、前記受信エネルギー検出手段から取り込んだ前記第１の受信エネルギーＣ／Ｉ値を第１の受信可能なデータレートに、前記合成受信エネルギーＣ／Ｉ値を第２の受信可能なデータレートに夫々変換し、前記非ダイバーシチ受信動作時、該第１の受信可能なデータレートが現状の受信可能なデータレートよりも小さいとき、前記ダイバーシチ制御手段を制御することにより、前記ダイバーシチ受信動作状態に切り替え、前記ダイバーシチ受信動作時、該第１の受信可能なデータレートが該第２の受信可能なデータレートよりも大きいとき、前記ダイバーシチ制御手段を制御することにより、前記非ダイバーシチ受信動作状態に切り替える
ことを特徴とする携帯電話端末装置。
【請求項４】
請求項１，２または３記載の携帯電話端末装置において、
前記信号合成手段は、前記ダイバーシチ受信動作時、前記第１，第２の受信手段の受信信号の合成信号を出力し、前記非ダイバーシチ受信動作時、前記第１の受信手段の受信信号を出力することを特徴とする携帯電話端末装置。
【請求項５】
請求項１乃至４のいずれか１つに記載の携帯電話端末装置において、
前記第１の受信手段の受信信号の受信レベルを検出し、検出した該受信レベルが所定の閾値よりも小さいとき、制御信号を出力する受信レベル検出手段を設け、
前記ダイバーシチ制御手段は、該受信レベル検出手段から出力される該制御信号に応じて、前記第２の受信手段を動作状態から非動作状態に、もしくは非動作状態から動作状態に切り換えることを特徴とする携帯電話端末装置。
【発明の詳細な説明】
【技術分野】
【０００１】
本発明は、ＣＤＭＡ（Code Division Multiple Access：符号分割多元接続）方式で通信を行なう携帯電話端末装置に係り、特に、ダイバーシチ受信時の制御方法に関する。
【背景技術】
【０００２】
従来、アンテナ選択ダイバーシチ，検波後選択ダイバーシチと呼ばれるダイバーシチ受信方式が知られている。アンテナ選択ダイバーシチは、複数のアンテナを１つの受信回路で共用して使用し、通信に使われていない受信区間で各アンテナの受信信号の受信電界強度を測定し、最適な受信レベルが得られるアンテナに受信回路を切り替えるものである。また、検波後選択ダイバーシチは、複数のアンテナとこれらアンテナ夫々に対応した受信回路とを用い、常にこれら受信回路が動作しているものである。これら受信回路の受信信号の切り替えは、これら受信回路での受信電界強度を比較し、その比較結果に応じていずれかの受信回路の受信信号を検波出力として選択するものである。
【０００３】
また、上記のアンテナ選択ダイバーシチと検波後選択ダイバーシチを組み合わせた方式も提案されている。これは、特定の受信回路での受信レベルに基づいていずれか１つのアンテナを特定の受信回路に切り替えるアンテナ選択ダイバーシチ部と、複数の受信回路の受信信号のいずれか１つを、これら受信回路の受信レベルの比較結果に応じて選択する、もしくはこれら受信回路の受信信号の位相を合わせて合成する検波後選択ダイバーシチ部とで構成されている。さらに、装置運用中の回線品質を検出する回線品質検出部を備え、アンテナ選択ダイバーシチ部の運用時には、検波後選択ダイバーシチ部内の稼動していない部分への給電を中止する給電制御を行なう（例えば、特許文献１参照）。
【特許文献１】特開２０００−１８３７９３号公報
【発明の開示】
【発明が解決しようとする課題】
【０００４】
しかしながら、受信レベル（受信電界強度）に基づいてダイバーシチ制御を行なう上記特許文献１に記載の従来技術では、通信方式がＣＤＭＡ方式のような場合には、ダイバーシチ効果が低く、充分な通話品質が得られない。即ち、ＣＤＭＡ方式は、１つの通話チャンネル（物理チャンネル）を多数のユーザで共用するシステムであり、自己に割り当てられた拡散符号で拡散された受信信号を同じこの拡散符号で逆拡散することによってデータを再生する。このため、受信レベルに応じてダイバーシチ制御を行なうと、チャンネルに多数のユーザデータが詰まっていて自己に割り当てられるデータが少なく充分な通話品質が維持できず、通信の信頼性が低下するという問題がある。
【０００５】
特に、ＣＤＭＡ方式のデータ通信に特化したＥＶ−ＤＯ（EVolution for Data Only：以下ＥＶＤＯ）方式では、受信信号のＣ／Ｉ（Carrier to Interfer Ratio）値によって下り回線の受信データレートが決まる。Ｃ／Ｉ値は自己の通信に関係する論理チャンネルの総和と妨害レベルの比に相当する。例えば、干渉波が存在する場合、受信レベルは大きくなるが、実際の通信に用いられる受信信号のレベルは小さくなる。即ち、受信レベルとＣ／Ｉ値は常に一致しているわけではない。このため、受信レベルだけによるダイバーシチ制御では、下り回線の情報のデータレートが低下する問題を含んでいる。さらに、データレートの低下によってデータのスループットが低下し、通信時間が増加して消費電力が増加するという問題もある。
【０００６】
本発明の目的は、かかる問題を解消し、ダイバーシチ動作時でも、受信データレートが低下することなく、高スループットを維持して高い通話品質を維持し、かつ消費電力の少ない利便性の良い携帯電話端末装置を提供することにある。
【課題を解決するための手段】
【０００７】
上記目的を達成するために、本発明は、基地局との間で符号分割多元接続方式で通信を行なう携帯電話端末装置であって、送受信アンテナで該基地局からの送信データを受信する第１の受信手段と、受信専用アンテナで該基地局からの送信データを受信する第２の受信手段と、該第１，第２の受信手段の受信信号を合成する信号合成手段と、該第１，第２の受信手段の受信信号を用いて自己の通信に関係する受信エネルギーＣ／Ｉ値を検出する受信エネルギー検出手段と、該第２の受信手段の動作／非動作状態の切り替え制御し、該第１，第２の受信手段が動作するダイバーシチ受信動作と第１の受信手段のみが動作する非ダイバーシチ受信動作との切り替えを行なうダイバーシチ制御手段と、該受信エネルギー検出手段で検出された該受信エネルギーＣ／Ｉ値に応じて該ダイバーシチ制御手段を制御し、該第２の受信手段を動作状態から非動作状態に、もしくは非動作状態から動作状態に切り換える制御部とを備えたものである。
【０００８】
また、受信エネルギー検出手段は、第１の受信手段の受信信号を用いて第１の受信エネルギーＣ／Ｉ値を、第２の受信手段の受信信号を用いて第２の受信エネルギーＣ／Ｉ値を夫々検出するとともに、第１，第２の受信エネルギーＣ／Ｉ値を合成した合成受信エネルギーＣ／Ｉ値を生成し、制御手段は、非ダイバーシチ受信動作時、第１の受信エネルギーＣ／Ｉ値に応じてダイバーシチ制御手段を制御することにより、ダイバーシチ受信動作状態に切り替え、ダイバーシチ受信動作時、第１の受信エネルギーＣ／Ｉ値と合成受信エネルギーＣ／Ｉ値とに応じて、ダイバーシチ制御手段を制御することにより、非ダイバーシチ受信動作状態に切り替えるものである。
【０００９】
また、受信エネルギーＣ／Ｉ値を対応する受信可能なデータレートに変換するための変換テーブルを有するメモリを備え、制御手段は、変換テーブルをもとに、受信エネルギー検出手段から取り込んだ第１の受信エネルギーＣ／Ｉ値を第１の受信可能なデータレートに、合成受信エネルギーＣ／Ｉ値を第２の受信可能なデータレートに夫々変換し、非ダイバーシチ受信動作時、第１の受信可能なデータレートが現状の受信可能なデータレートよりも小さいとき、ダイバーシチ制御手段を制御することにより、ダイバーシチ受信動作状態に切り替え、ダイバーシチ受信動作時、第１の受信可能なデータレートが第２の受信可能なデータレートよりも大きいとき、ダイバーシチ制御手段を制御することにより、非ダイバーシチ受信動作状態に切り替えるものである。
【００１０】
また、信号合成手段は、ダイバーシチ受信動作時、第１，第２の受信手段の受信信号の合成信号を出力し、非ダイバーシチ受信動作時、第１の受信手段の受信信号を出力するものである。
【００１１】
また、第１の受信手段の受信信号の受信レベルを検出し、検出した受信レベルが所定の閾値よりも小さいとき、制御信号を出力する受信レベル検出手段を設け、ダイバーシチ制御手段は、受信レベル検出手段から出力される制御信号に応じて、第２の受信手段を動作状態から非動作状態に、もしくは非動作状態から動作状態に切り換えるものである。
【発明の効果】
【００１２】
本発明によれば、ダイバーシチ動作時及び非ダイバーシチ動作時の受信信号のＣ／Ｉ値を検出し、Ｃ/Ｉ値に応じてダイバーシチ制御を行なうことにより、高データレートを維持しつつ消費電力を低減でき、通話品質が向上し、使用可能時間が長くなって使い勝手が向上する。
【発明を実施するための最良の形態】
【００１３】
以下、本発明の実施形態を図面を用いて説明する。
【００１４】
図１は本発明による携帯電話端末装置の第１の実施形態を示すブロック図であって、１ａは送受信アンテナ、１ｂは受信専用アンテナ、２は送受信波選択フィルタ（デュプレクサ）、３は送信手段、４ａ，４ｂは受信手段、５はＴＸ（送信）用周波数シンセサイザ（ＴＸ用局部発振器）、６はＲＸ（受信）用周波数シンセサイザ（ＲＸ用局部発振器）、７は信号合成手段、８はエネルギー検出手段、９はダイバーシチ制御手段、１０はベースバンド信号処理手段、１１は全体制御手段、１２はメモリ、１３は入出力手段、１４ａ，１４ｂはＡ／Ｄ（アナログ／デジタル）コンバータ、２０はこの実施形態の携帯電話端末装置である。
【００１５】
図１において、携帯電話端末装置２０は、基地局（図示せず）から互いに異なる経路を経た同じＣＤＭＡ方式の電波を受信する２つのアンテナ、即ち、送受信アンテナ１ａと受信専用アンテナ１ｂとを備えている。送受信アンテナ１ａで受信されたＣＤＭＡ方式のＲＦ（無線周波）信号は、送受波選択フィルタ２を介して受信手段４ａに供給され、ＲＸ用周波数シンセサイザ６からの局部発振信号に応じた所定受信チャンネルのＲＦ信号が選局され、ダイレクトコンバージョン（ゼロＩＦともいう）方式により、ベースバンド信号にダイレクトに周波数変換される。
【００１６】
ここで、選局された受信チャンネルでは、この携帯電話端末装置２０宛てのＲＦ拡散変調信号（以下、自己宛ての拡散変調信号という）を含む複数のＲＦ拡散変調信号が多重されている。夫々の拡散変調信号は、その宛先の携帯電話端末装置２０に割り当てられた拡散符号を用いて拡散変調されており、この拡散変調に用いた拡散符号を用いて逆拡散処理することにより、元のデータが再生データとして復元される。
【００１７】
このベースバンド信号は、Ａ／Ｄコンバータ１４ａによってデジタル信号ＤＤａに変換された後、信号合成手段７に供給される。また、受信専用アンテナ１ｂで受信されたＣＤＭＡ方式のＲＦ信号は受信手段４ａに供給され、ＲＸ用周波数シンセサイザ６からの局部発振信号に応じた所定受信チャンネルのＲＦ信号が選局され、ダイレクトコンバージョン方式により、ベースバンド信号にダイレクトに周波数変換される。このベースバンド信号は、Ａ／Ｄコンバータ１４ｂによってデジタル信号ＤＤｂに変換された後、信号合成手段７に供給される。ここで、受信手段４ａと受信手段４ｂとでは、同じ受信チャンネルが選局される。
【００１８】
この実施形態では、全体制御手段１１の制御のもとに、これら送受信アンテナ１ａと受信専用アンテナ１ｂとの受信信号を合成してデータ再生を行なうダイバーシチ受信動作と、送受信アンテナ１ａのみの受信信号を用いてデータ再生を行なう非ダイバーシチ受信動作とを選択的に行なうものである。このダイバーシチ受信動作と非ダイバーシチ受信動作との切り替えは、全体制御手段１１がダイバーシチ制御手段９を制御することによって行なわれる。
【００１９】
この制御によってダイバーシチ制御手段９が受信手段４ｂに電源を供給してこの受信手段４ｂを動作させるときには、携帯電話端末装置２０はダイバーシチ受信動作の状態にあり、このときには、送受信アンテナ１ａで受信されてＡ／Ｄコンバータ１４ａから出力される所定受信チャンネルのデジタル信号ＤＤａと受信アンテナ１ｂで受信されてＡ／Ｄコンバータ１４ｂから出力される同じ所定受信チャンネルのデジタル信号ＤＤｂとが信号合成手段７に供給されるが、ダイバーシチ制御手段９が受信手段４ｂを消費電力が減少するアイドル状態あるいは電源供給を停止させる（受信手段４ｂのかかる状態を、以下、動作停止状態という）ときには、携帯電話端末装置２０は非ダイバーシチ受信動作の状態にあり、このときには、送受信アンテナ１ａで受信されてＡ／Ｄコンバータ１４ａから出力される所定受信チャンネルのデジタル信号ＤＤａのみが信号合成手段７に供給される。
【００２０】
信号合成手段７は、供給されたＣＤＭＡ方式の受信デジタル信号を拡散符号で逆拡散処理する逆拡散回路とフィンガ回路からなり、この逆拡散回路の出力信号をレイク合成するレイク受信機とをＡ／Ｄコンバータ１４ａ，１４ｂからのデジタル信号ＤＤａ，ＤＤｂ毎に有し、さらに、これらレイク受信機の出力を合成する合成手段を備えている。
【００２１】
かかる構成の信号合成手段７では、非ダイバーシチ受信動作の場合、Ａ／Ｄコンバータ１４ａから供給されるデジタル信号ＤＤａが逆拡散回路でこの携帯電話端末装置２０で割り当てられた拡散符号を用いて逆拡散処理されることにより、受信手段４ａで選局された所定受信チャンネルから自己宛ての拡散変調信号が抽出されて逆拡散処理され、レイク受信機でレイク合成されることにより、この自己宛ての拡散変調信号の再生データが得られる。この再生データはそのまま合成手段を通過し、論理チャンネルの再生データＤＤとしてベースバンド信号制御手段１０に供給される。
【００２２】
また、ダイバーシチ受信動作の場合には、Ａ／Ｄコンバータ１４ａ，１４ｂ夫々から供給されるデジタル信号ＤＤａ，ＤＤｂが夫々の逆拡散回路でこの携帯電話端末装置２０で割り当てられた拡散符号を用いて逆拡散処理されることにより、受信手段４ａ，４ｂで選局された所定受信チャンネル（これらは同じ受信チャンネル）毎に自己宛ての拡散変調信号が抽出されて逆拡散処理され、レイク受信機でレイク合成されて夫々毎に再生データが得られる。これら再生データは合成手段で合成され、論理チャンネルの再生データＤＤとしてベースバンド信号制御手段１０に供給される。このように、ダイバーシチ受信の場合には、送受信アンテナ１ａと受信専用アンテナ１ｂとで受信される自己宛ての拡散変調信号の再生データを合成するものであるから、これらアンテナ１ａ，１ｂのいずれかの受信レベルがフェージングなどによって低下しても、安定した受信が可能となる。
【００２３】
ベースバンド信号制御手段１０では、信号合成手段７から供給される再生データＤＤが音声データや映像データなどに復調され、かかる復調データが入出力手段１３に供給されて、スピーカで音声出力，画像表示装置で画像表示され、また、外部入出力装置から外部機器（図示せず）に出力される。受信データのうちの呼制御に係わるデータは、全体制御手段１１に送られて通信の制御に用いられる。一方、送信の呼制御に係わるデータは、全体制御手段１１からベースバンド信号処理手段１０に送られて所定の通信用データフォーマットに変換され、送信手段３に供給されてＴＸ用周波数シンセサイザ５の出力のよって所定チャンネルの送信信号となり、送受波選択フィルタ２を介して送受信アンテナ１ａから基地局に送信される。また、入出力手段１３のマイクからの音声信号や外部機器からのデータは、ベースバンド信号処理手段１０において、所定の通信用データフォーマットに変換され、同様にして、送信手段３，送受波選択フィルタ２を介し送受信アンテナ１ａから基地局に送られる。
【００２４】
また、信号合成手段７でのレイク受信機から出力される上記の再生データはエネルギー検出手段８に供給され、現時点での自己宛ての受信拡散変調信号の受信エネルギーＣ／Ｉ値が検出される。即ち、非ダイバーシチ受信動作のときには、信号合成手段７でデジタル信号ＤＤａを逆拡散処理し、レイク受信機でレイク合成して得られた自己宛ての拡散変調信号の再生データがエネルギー検出手段８に供給され、受信エネルギーＣ／Ｉ値（以下、１アンテナ受信エネルギー値という）が検出される。この１チャンネル受信エネルギーＣ／Ｉ値が非ダイバーシチ受信時の自己宛ての拡散変調信号の受信エネルギーＣ／Ｉ値である。また、ダイバーシチ受信動作のときには、信号合成手段７でデジタル信号ＤＤａ，ＤＤｂを逆拡散処理し、レイク受信機でレイク合成して得られた夫々再生データがエネルギー検出手段８に供給され、これら再生データの受信エネルギーＣ／Ｉ値が検出されて合成される。この受信エネルギーＣ／Ｉ値の合成値（以下、合成受信エネルギーＣ／Ｉ値という）がダイバーシチ受信動作時の自己宛ての拡散変調信号の受信エネルギーＣ／Ｉ値である。
【００２５】
このようにしてエネルギー検出手段８で検出された非ダイバーシチ受信時やダイバーシチ受信時のこれら受信エネルギーＣ／Ｉ値は、全体制御手段１１に供給される。さらに詳細には、全体制御手段１１は、現在携帯電話端末装置２０が非ダイバーシチ受信動作中であるか、ダイバーシチ受信動作状態にあるかの判定が可能であって、非ダイバーシチ受信時には、アンテナ１ａからの受信データの受信エネルギーＣ／Ｉ値を取り込み、ダイバーシチ受信時には、アンテナ１ａからの受信データの１チャンネル受信エネルギーＣ／Ｉ値と上記の合成受信エネルギーＣ／Ｉ値とを取り込む。
【００２６】
ここで、全体制御手段１１はメモリ１２を備えており、このメモリ１２は全体制御手段１１が実行するプログラムの格納エリアや全体制御手段１１がデータ処理をする際の作業エリアとして使用されるが、また、受信エネルギーＣ／Ｉ値と受信可能なデータレートとの対応関係を示す変換テーブルが設けられている。全体制御手段１１は、メモリ１２でのこの変換テーブルを用いて、エネルギー検出手段８で得られる上記の受信エネルギーＣ／Ｉ値に対して受信可能なデータレートを求める。
【００２７】
図２はメモリ１２に格納されている変換テーブルの一具体例を模式的に示す図である。
【００２８】
同図において、この変換テーブルでは、エネルギー検出手段８で検出された受信エネルギーＣ／Ｉ値（検出結果Ｃ／Ｉ値）の取り得る範囲が複数の段階（図２では、９段階）に区分され、各段階毎に受信可能なデータレートが規定されている。エネルギー検出手段８から受信エネルギーＣ／Ｉ値が検出されると、全体制御手段１１がこれを取り込み、この変換テーブルをもとに、受信可能なデータレートを求める。例えば、エネルギー検出手段８で検出される受信エネルギーＣ／Ｉ値が７ｄＢとすると、受信可能なデータレートは１Ｍｂｐｓとなる。受信エネルギーＣ／Ｉ値が大きいほど、高い受信可能なデータレートが設定されることになる。
【００２９】
全体制御手段１１は、このように受信可能なデータレートを求めると、得られたこの受信可能なデータレートに応じて、図示しない基地局からのデータのデータレートをこの受信可能なデータレートと等しくするか否かを判定し、等しくする場合には、基地局に、この受信可能なデータレートを送信データレートとするデータ送信を要求する。このために、全体制御手段１１は、この求めた受信可能なデータレートをベースバンド信号制御手段１０に送る。ベースバンド信号制御手段１０は、全体制御手段１１の制御のもとに、この受信可能なデータレートに応じたＤＲＣ（Data Rate Control：データレートコントロール）情報を生成し、送信手段３，送受波選択フィルタ２を介して送受信アンテナ１ａから送信させる。基地局では、このデータ送信の要求を受けると、この携帯電話端末装置２０への送信データのデータレートをこの受信可能なデータレートに設定する。また、全体制御手段１１は、この受信可能なデータレートを、現状でのデータ通信の受信データレート（以下、現状受信データレートという）として、メモリ１２に格納する。
【００３０】
全体制御手段１１は、また、エネルギー検出手段８で検出された受信エネルギーＣ／Ｉ値から受信可能なデータレートを求めると、この携帯電話端末装置２０の受信動作を非ダイバーシチ受信とするか、ダイバーシチ受信とするかを判定する。ダイバーシチ受信動作状態にあるときに非ダイバーシチ受信との判定があると、全体制御手段１１は、ダイバーシチ制御手段９を制御することにより、受信手段４ｂを動作状態から動作停止状態に切り替える。これにより、受信手段４ａのみによる受信状態とし、非ダイバーシチ状態となる。また、非ダイバーシチ受信動作状態にあるとき非ダイバーシチ受信との判定があると、全体制御手段１１は、ダイバーシチ制御手段９を制御することにより、受信手段４ｂを動作停止状態から動作状態に切り替える。これにより、受信手段４ａに加えて受信手段４ｂも受信状態となり、ダイバーシチ受信動作状態となる。
【００３１】
図３は全体制御手段１１の以上の制御手順の一具体例を示すフローチャートである。
【００３２】
同図において、いま、メモリ１２に格納されている現状データレートをＤＲｂとし（ステップ３１）、エネルギー検出手段８で受信エネルギーＣ／Ｉ値の検出が行なわれて１チャンネル受信エネルギーＣ／Ｉ値が供給されると、この１チャンネル受信エネルギーＣ／Ｉ値を取り込んで、メモリ１２での変換テーブルをもとに、対応する１チャンネル受信データレートＤＲｍを求め（ステップ３２）、携帯電話端末装置２０が、現在、ダイバーシチ受信動作中であるか、非ダイバーシチ受信中であるかを判定する（ステップ３３）。
【００３３】
そこで、いま、ダイバーシチ受信動作状態にあるとすると、エネルギー検出手段８から合成受信エネルギーＣ／Ｉ値ＤＲｄｉｖを取り込み（なお、ダイバーシチ受信動作状態では、上記のように、合成受信エネルギーＣ／Ｉ値も検出されている）、メモリ１２での変換テーブルをもとに、対応する合成受信データレートＤＲｄｉｖを求める（ステップ３４）。
【００３４】
そして、これら１チャンネル受信データレートＤＲｍと合成受信データレートＤＲｄｉｖとを比較し、
ＤＲｄｉｖ ≦ ＤＲｍ
であるときには、現状では、受信手段４ａだけで受信した方が、ダイバーシチ受信するよりも、高い受信可能なデータレートを用いることが可能となるから（ステップ３５）、この１チャンネル受信データレートＤＲｍを現状受信データレートＤＲｂとしてメモリ１２に設定し（ステップ３６）、ダイバーシチ制御手段９を制御して受信手段４ｂを動作状態から動作停止状態に切り替え、非ダイバーシチ受信動作状態とする（ステップ３７）。そして、ステップ３２に戻る（ステップ３８）。これに対し
ＤＲｄｉｖ ＞ ＤＲｍ
であるときには、現状では、ダイバーシチ受信の方が、受信手段４ａだけで受信するよりも、高い受信可能なデータレートを用いることが可能となるから（ステップ３５）、この合成受信データレートＤＲｄｉｖを現状受信データレートＤＲｂとしてメモリ１２に設定し（ステップ３９）、現状のダイバーシチ受信状態を維持したままステップ３２に戻る（ステップ４０）。
【００３５】
携帯電話端末装置２０の受信状態が非ダイバーシチ受信動作状態にあるときには（ステップ３３）、メモリ１２に格納されている現状受信データレートＤＲｂとステップ３２で求めた１チャンネル受信データレートＤＲｍとを比較し、
ＤＲｍ ≧ ＤＲｂ
であるときには、現状では、新に求めた１チャンネル受信データレートＤＲｍの方が、メモリ１２に格納されている現状受信データレートＤＲｂよりも、高い受信可能なデータレートであるから（ステップ４１）、この１チャンネル受信データレートＤＲｍを現状受信データレートＤＲｂとしてメモリ１２に設定し（ステップ４２）、現状の非ダイバーシチ受信状態を維持したままステップ３２に戻る（ステップ４３）。これに対し
ＤＲｍ ＜ ＤＲｂ
であるときには、現状では、メモリ１２に格納されている現状受信データレートＤＲｂの方が、新に求めた１チャンネル受信データレートＤＲｍよりも、高い受信可能なデータレートであるから（ステップ４１）、受信可能なデータレートが低くなっている。このため、ダイバーシチ制御手段９を制御して受信手段４ｂを動作停止状態から動作状態に切り替え、ダイバーシチ受信動作状態とする（ステップ４４）。そして、ステップ３２に戻る（ステップ４５）。
【００３６】
なお、メモリ１２には、携帯電話端末装置２０のダイバーシチ受信状態か非ダイバーシチ受信状態かの受信状態を示す情報も格納されており、ステップ３７では、受信回路４ｂを動作停止状態に切り替えるとともに、この情報をダイバーシチ受信状態を表わす情報から非ダイバーシチ受信状態を表わす情報に書き替え、ステップ４４では、受信回路４ｂを動作状態に切り替えるとともに、この情報を非ダイバーシチ受信状態を表わす情報からダイバーシチ受信状態を表わす情報に書き替える。かかる情報により、全体制御手段１１は、携帯電話端末装置２０の受信状態を判別することができる。
【００３７】
あるいはまた、全体制御手段１１による受信手段４ｂのオン／オフのダイバーシチ制御手段９への指令信号をメモリ１２にも保持し、この指令信号によって受信手段４ｂの状態を検出することにより、携帯電話端末装置２０の受信状態を判別するようにしてもよい。
【００３８】
このようにして、この実施形態では、受信データレートの低下を起こすことなく、干渉波による影響を受けにくい高い通話品質を維持し、かつ消費電力を削減できて、携帯電話端末装置を品質向上，使用時間の向上が可能となる。
【００３９】
図４は本発明による携帯電話端末装置の第２の実施形態を示すブロック図であって、１５は受信レベル検出手段であり、図１に対応する部分には同一符号を付けて重複する説明を省略する。
【００４０】
同図において、この第２の実施形態の携帯電話端末装置２０は、図１に示す携帯電話端末装置２０に受信レベル検出手段１５を追加したものである。この受信レベル検出手段１５は、受信手段４ａの検波信号から現在受信している物理チャネルの受信電界強度（ＲＳＳＩ）を検出するとともに、全体制御手段１１から設定される閾値と比較し、その比較結果に応じてダイバーシチ制御手段９、従って、受信手段４ｂを制御するものである。
【００４１】
非ダイバーシチ受信動作状態にあるとき、フェージングなどによって受信レベルの低下が起こると、受信手段４ａからの受信信号は劣化する。この受信信号のレベルを受信レベル検出手段１５で検出され、閾値と比較される。この検出レベル値が閾値値を下回わると、受信信号が劣化したことになり、受信レベル検出手段１５はダイバーシチ制御手段９に制御信号を供給する。これにより、受信手段４ｂが動作状態に切り替わる。これにより、携帯電話端末装置２０はダイバーシチ受信動作状態となり、受信専用アンテナ１ｂが送受信アンテナ１ａと異なる経路の電波を受信するため、同時にフェージングの影響を受けないことになる。
【００４２】
以上のように、この第２の実施形態では、受信データレートの低下を起こすことなく、また、急な受信レベルの低下が起きても、高い通話品質を維持し、かつ消費電力を削減できて、携帯電話端末装置の品質を向上し、使用時間の向上が可能となる。
【図面の簡単な説明】
【００４３】
【図１】本発明による携帯電話端末装置の第１の実施形態を示すブロック図である。
【図２】図１におけるメモリに格納された変換テーブルの一具体例を示す図である。
【図３】図１に示す第１の実施形態の制御手順の一具体例を示すフローチャートである。
【図４】本発明による携帯電話端末装置の第２の実施形態を示すブロック図である。
【符号の説明】
【００４４】
１ａ  送受信アンテナ
２  送受波選択フィルタ
３  送信手段
４ａ，４ｂ  受信手段
５  送信用周波数シンセサイザ
６  受信用周波数シンセサイザ
７  信号合成手段
８  受信エネルギー検出手段
９  ダイバーシチ切替制御手段
１０  ベースバンド処理手段
１１  全体制御手段
１２  メモリ
１３  入出力手段
１４ａ，  Ａ/Ｄコンバータ
１５  受信レベル検出手段
２０  携帯電話端末装置
【図１】
2005341366.tif 000003
【図２】
2005341366.tif 000004
【図３】
2005341366.tif 000005
【図４】
2005341366.tif 000006